(57)【要約】  複数の監視対象の存在、位置、動きおよび／または姿勢を観察するセンサおよびシステムに関する。前記センサ（１０１、２０１）は存在、位置、動きおよび／または姿勢を検知するセンサ（１０１、２０１）であり、センサは、異なる高さでの２つの測定範囲（１０４、１０５）を測定するように適合された２つの検知器を備え、２つの定範囲のうち、第１の検知器（１０２）の測定範囲は下側の測定範囲（１０４）であり、第２の検知器（１０３）の測定範囲は上側の測定範囲（１０５）である。センサ（１０１、２０１）は第３の検知器（１１０）をさらに備え、第３の検知器（１１０）は、第１の検知器（１０２）、第２（１０３）の検知器、および／または第３の検知器（１１０）の前および／または上に置かれている例えばタオルや衣類などの物品を観察するように適合されている。【選択図】図１Ａ
2019520547.tif 000002
【特許請求の範囲】
【請求項１】
監視対象の存在、位置、動きおよび／または姿勢を観察するセンサにおいて、
前記センサ（１０１、２０１）が存在、位置、動きおよび／または姿勢を検知するセンサ（１０１、２０１）であり、前記センサが異なる高さでの２つの測定範囲（１０４、１０５）を測定するように適合された２つの検知器を備えており、２つの前記測定範囲のうち、第１の検知器（１０２）の前記測定範囲は下側測定範囲（１０４）であり、第２の検知器（１０３）の前記測定範囲は上側測定範囲（１０５）であり、
前記センサ（１０１、２０１）がさらに第３の検知器（１１０）を備え、前記第３の検知器（１１０）は前記第１の検知器（１０２）、前記第２（１０３）の検知器、および／または前記第３の検知器（１１０）の、前および／または上に置かれた、タオルや衣類のような物品を観察するように適合されていることを特徴とするセンサ。
【請求項２】
前記第３の検知器（１１０）が、少なくとも１つの光源と、フォトトランジスタまたはフォトダイオードのような光を電気信号に変換する少なくとも１つの手段を備えていることを特徴とする請求項１に記載のセンサ。
【請求項３】
前記光源および前記光を電気信号に変換する手段が、物品が前記センサおよび／または前記第３の検知器の上に置かれている場合に、前記光源から発せられる光が、前記光を電気信号に変換する手段に反射されるように配置されていることを特徴とする請求項２に記載のセンサ。
【請求項４】
前記第３の検知器（１１０）が、交互に点滅するように適合された２つの光源を備えていることを特徴とする請求項２または３に記載のセンサ。
【請求項５】
前記光源が赤外波長域で機能する光源であることを特徴とする請求項２から４のいずれか一項に記載のセンサ。
【請求項６】
前記光源はＬＥＤ光源であることを特徴とする請求項２から５のいずれか一項に記載のセンサ。
【請求項７】
前記第３の検知器（１１０）が、本質的に前記センサ（１０１，２０１）の上部分、および／または前記第１の検知器（１０２）および前記第２の検知器（１０３）の上方に配置されていることを特徴とする請求項１から６のいずれか一項に記載のセンサ。
【請求項８】
前記センサ（１０１、２０１）が音響形成手段を備えており、前記センサ（１０１、２０１）は、物品が前記第１の検知器（１０２）、前記第２の検知器（１０３）、および／または前記第３の検知器（１１０）の、前および／または上に置かれたことを検知した場合に、前記音響形成手段によって警報を発報するように適合されていることを特徴とする請求項１から７のいずれか一項に記載のセンサ。
【請求項９】
前記センサ（１０１、２０１）が、対象となる前記センサの前記第１の検知器（１０２）、前記第２の検知器（１０３）および／または前記第３の検知器（１１０）の、前および／または上の物品が前記第３の検知器（１１０）によって検知されなくなると、警報信号の発報を停止するように適合されていることを特徴とする請求項８に記載のセンサ。
【請求項１０】
監視対象領域（１０８）で監視される複数の対象の存在、位置、動きおよび／または姿勢を観察するシステムにおいて、
前記システムが請求項１から９による少なくとも１つのセンサ（１０１、２０１）を備えており、
前記一または複数のセンサ（１０２、２０１）が、前記監視対象領域（１０８）の、例えば、床、壁および／または天井（１１０）のある部分に設置されることを特徴とするシステム。
【請求項１１】
前記システムが、前記センサ（１０１、２０１）の前記第３の検知器（１１０）によって、対象となる前記センサの前記第１の検知器（１０２）、前記第２の検知器（１０３）、および／または前記第３の検知器（１１０）の、前および／または上で物品が観察された場合に、前記監視対象領域（１０８）で警報信号を発報するように適合されていることを特徴とする請求項１０に記載のシステム。
【請求項１２】
前記システムが、対象となる前記センサ（１０１、２０１）の前記第１の検知器（１０２）、前記第２の検知器（１０３）、および／または前記第３の検知器（１１０）の、前および／または上の物品が、前記第３の検知器（１１０）によって検知されなくなると、警報信号の発報を停止するように適合されていることを特徴とする請求項１１に記載のセンサ。
【請求項１３】
警報信号の継続時間が予め定められた長さであることを特徴とする請求項１１または１２に記載のシステム。
【請求項１４】
前記警報信号が、音響信号および／または光信号であることを特徴とする請求項１１から１３のいずれか一項に記載のシステム。
【請求項１５】
前記システムが、センサ（１０１、２０１）の前記第３の検知器（１１０）によって、物品が前記第１の検知器（１０２）、前記第２の検知器（１０３）、および／または前記第３の検知器（１１０）の、前および／または上に置かれていることが観察された場合に、通知を送信するように適合されていることを特徴とする請求項１０から１４のいずれか一項に記載のシステム。
【請求項１６】
前記システムは、対象（１０６）が前記上側測定範囲（１０５）で検知されず、且つ対象（１０６）が前記下側測定範囲（１０４）で検知された場合、対象者は転倒していると解釈するように適合されており、
前記システムはさらに、対象者が転倒したと解釈された場合に転倒通知を送信するように適合されていることを特徴とする請求項１０から１５のいずれか一項に記載のシステム。
【請求項１７】
前記通知および／または転倒通知は、例えば、電話（３０２）へのメッセージや警報として、対象者の健康状態を監視する関連先に対して送信し、および／または、例えば看護師（３０３）、親戚または救急センタに対して、警報またはメッセージを送信することである請求項１５または１６のいずれか一項に記載のシステム。
【請求項１８】
前記システムは、有線または無線電気通信接続を使用して、前記対象（１０６、３０１）から得られた情報を送信するように適合されていることを特徴とする請求項１０から１７のいずれか一項に記載のシステム。
【発明の詳細な説明】
【技術分野】
【０００１】
本発明の分野
本発明は、監視対象領域（ａｎ  ａｒｅａ  ｔｏ  ｂｅ  ｍｏｎｉｔｏｒｅｄ）の対象者を観察し、モニタリングする方法およびシステムに関する。
【背景技術】
【０００２】
本発明の背景
高齢者が自身の家庭環境で自立する可能性を延ばすことが所望される場合に、家庭環境での高齢者の状態をモニタリングすることは不可欠である。広く使用されているのは、セーフティブレスレットである。セーフティブレスレットの弱点は、ユーザが継続的にブレスレットを装着しなければならず、緊急時に警報ボタンを押すことができなければならないことである。健康状態をチェックするブレスレットも存在するが、それらの問題点の一つは誤報である。
【０００３】
また、従来技術では、圧電材料からなるフィルムを床に設置し、床表面の動きによって生じる圧力変化をフィルムが記録する方法による解決策も試みられている。静電容量センサによって圧力変化なしに人の存在および動きを検知する床上、または床下に設置されるセンサの使用も知られている。
【０００４】
高齢者の体調および状況のモニタリングにビデオカメラ、例えば赤外線検知に基づく移動検知器、または例えば超音波センサを使用する可能性も、従来技術で開示されている。
【０００５】
例えば、特許文献１は、超音波技術に基づいて対象を追跡する、当該技術分野で既知の方法およびシステムを記載している。
【０００６】
先行技術の観察システムおよび監視システムの欠点は、ユーザが、例えば不注意にタオルや衣類をセンサの表面に置いてしまうことにより、測定を実施するセンサを簡単に覆えることであり、このような場合、システムはユーザの動作を検知しなくなる。また、既知のシステムは、センサの測定範囲内の、正常な測定の実施を阻害する物品の周囲で警報を発報しない。
【先行技術文献】
【特許文献】
【０００７】
【特許文献１】国際公開第２０１２／１６４１６９号明細書
【発明の概要】
【発明が解決しようとする課題】
【０００８】
本発明によるセンサは、対象者の状態および／または姿勢の検知測定に適用可能なセンサであり、本発明によるシステムは、少なくとも１つの上述のようなセンサを備える。本発明による解決策では、センサは、例えば天井、床、または壁に設置してもよい。本発明による解決策は、例えば高齢者の体調および状況のモニタリングに、例えば高齢者自身の住居または高齢者向け施設で使用することができる。
【課題を解決するための手段】
【０００９】
請求項１に記載のセンサおよび請求項１０に記載のシステムを使用することによって、従来技術の問題点を排除し、使用の必要性に応じた要件に対応する構成が実現されることができる。本発明は、以下の特許請求の範囲に開示されるものによって特徴付けられる。
【００１０】
本発明による解決策では、センサは存在、位置、動きおよび／または姿勢（ａｔｔｉｔｕｄｅ）を検知するセンサであり、センサは異なる高さでの２つの測定範囲を測定するように適合された２つの検知器を備えている。測定範囲のうち、第１の検知器の測定範囲はより上側（ｕｐｐｅｒ、上部）の測定範囲であり、第２の検知器の測定範囲はより下側（ｌｏｗｅｒ、下部）の測定範囲である。センサは第３の検知器をさらに備え、第３の検知器は、第１の検知器、第２の検知器および／または第３の検知器の前（ｆｒｏｎｔ、正面）および／または上（ｔｏｐ、表面）に置かれた、例えばタオルや衣類などの物品を観察するように適合されている。本発明の一実施形態では、第３の検知器は、第３の検知器の前および／または上に置かれた物品を検知する。
【００１１】
本発明の一実施形態では、第３の検知器は、光源と、例えばフォトトランジスタ（光トランジスタ）またはフォトダイオード（光ダイオード）などの、光を電気信号に変換する少なくとも１つの手段を備えている。
【００１２】
本発明の一実施形態では、光源および光を電気信号に変換する手段は、物品がセンサおよび／または第３の検知器の上に置かれている場合、光源から発せられる光が、光を電気信号に変換する手段に反射されるように配置されている。
【００１３】
本発明の一実施形態では、センサは音響形成手段を備え、センサは、物品が、第１の検知器、第２の検知器、および／または第３の検知器の、前および／または上に置かれていることが検知された場合、音響形成手段を用いて警報を発報するように適合されている。
【００１４】
本発明の一実施形態では、システムは、例えば監視対象空間で警報を発報するように適合されており、および／または、センサの第３の検知器によって、物品が、第１の検知器、第２の検知器、および／または第３の検知器の、前および／または上に置かれていることが観察された場合、通知を送信するように適合されている。
【発明の効果】
【００１５】
従来のシステムと比較した場合の、本発明によるシステムの１つの有利な点は、本システムが、センサが覆われているという状況を感知（ｎｏｔｉｃｅ）することである。このように不注意に覆われたセンサはシステムによって感知され、この状況を修正するために既定の手順が実施され、この場合、センサの測定範囲にある障害物が可能な限り速やかに取り除かれる。
【００１６】
図面の概要の記載
本発明は、以下の図面を参照して説明される。
【図面の簡単な説明】
【００１７】
【図１Ａ】本発明の実施形態によるシステムの一実施形態によるセンサを示す図である。
【図１Ｂ】本発明の実施形態によるシステムの一実施形態によるセンサを示す図である。
【図１Ｃ】本発明の実施形態によるシステムの一実施形態によるセンサを示す図である。
【図２】監視対象領域内の、本発明によるシステムの一実施形態の構成要素を示す図である。
【図３】本発明によるシステムの一実施形態の操作を示す図である。
【発明を実施するための形態】
【００１８】
本発明の解決策では、例えば壁または天井に設置するセンサを使用することができ、このセンサは、動き、熱または音波によって対象の存在を検知することができる。対象は、例えば高齢者、または監視による他の受益者とすることができる。
【００１９】
図１Ａから図１Ｃは、本発明の実施形態によるシステムの一実施形態によるセンサを示す。この実施形態によるセンサ１０１は、異なる高さの２つの区域を測定するように適合される。センサ１０１は、例えば監視対象領域の壁または角（ｃｏｒｎｅｒ、隅）に、典型的には床面の上方、例えば床から約４０から５０ｃｍの高さに設置することができる。角への設置は、センサの視野が水平面上で例えば約１００度になり得るため、好適である。本発明の一実施形態では、センサ１０１は２つの動作検知器１０２、１０３を有し、その視野は、第１の検知器１０２の測定範囲１０４が監視対象領域の下側部分に限定され、かつ第２の検知器１０３の測定範囲１０５が監視対象領域の上側部分に限定されるような方法で、垂直面上で限定される。図１Ｂおよび図１Ｃは、検知器１０２、１０３の測定範囲１０４、１０５を断面で示す。本発明の解決方法では、監視対象領域の上側部分を監視する検知器１０３が、立位または直立移動する対象者を検知するが、臥位または転倒した対象者は検知しないように、検知器の測定範囲を調整することが好ましい。このように、例えば上側検知器で対象１０６が検知される場合には対象者は直立であると解釈されるが、上側検知器で対象１０６が検知されることなく下側検知器で対象１０６が検知される場合には対象者は転倒していると解釈できるといった方法で、システムは直立した対象者と転倒した対象者とを区別することができる。本発明の一実施形態では、第１の検知器１０２および第２の検知器１０３の測定範囲１０４、１０５間には、いずれの検知器の測定範囲にも属さない垂直方向の領域が残る。
【００２０】
センサ１０１の動作検知器１０２、１０３は、例えば受動型赤外線センサ（ＰＩＲ）、超音波センサ、マイクロ波センサ、または受動型赤外線センサとマイクロ波センサとの組み合わせ、または２つの受動的赤外線センサの組み合わせのような組み合わせセンサとすることができる。センサ１０１の検知器は、センサが高さ方向において２つの異なる測定範囲１０４、１０５で対象の存在および／または動きを測定するように適合されることをによって、他の技術によって実施されてもよい。
【００２１】
本発明によるセンサ１０１は第３の検知器１１０をさらに備え、当該第３の検知器１１０は、第１の検知器１０２、第２の検知器１０３、および／または第３の検知器１１０の前および／または上に置かれているタオルや衣類などの物品を観察するように適合されている。このように、センサは、物品が上側測定範囲１０５および／またはその下側測定範囲１０４の前および／または上に置かれているか否かを検知してもよい。図１Ａから１Ｃの実施形態では、第３の検知器１１０は、基本的にセンサの上側部分、および／または第１の検知器１０２および第２の検知器の上方に配置されている。
【００２２】
本発明の一実施形態では、第３の検知器１１０は、光源、および光を電気信号に変換する少なくとも１つの手段を備えている。少なくとも１つの手段は、例えばフォトトランジスタまたはフォトダイオードとすることができる。光源は、赤外波長域で機能する光源とすることができる。光源はＬＥＤ光源とすることができる。光源、および光を電気信号に変換する手段は、物品がセンサおよび／または第３の検知器の上に置かれている場合、光源から発せられる光が、光を電気信号に変換する手段に反射されるように配置されることができる。
【００２３】
本発明の一実施形態では、第３の検知器は、交互に点滅するように適合された２つの光源を備える。
【００２４】
センサおよび／またはシステムは、第３の検知器によって、例えば、第３の検知器が第３の検知器の上または第３の検知器に近接して置かれている物品を検知する、といった方法で、センサの上および／または検知器の測定範囲内にある物品を検知することができる。第３の検知器が、光源、および光を電気信号に変換する少なくとも１つの手段を備える本発明の実施形態では、光源から生成される光が、第３の検知器の上に置かれた対象から光を電気信号に変換する手段に向かって反射され、この場合、第３の検知器の上の対象の存在が検知される。
【００２５】
本発明の一実施形態では、センサは例えばスピーカなどの音響形成手段を備え、当該センサは、物品が第１の検知器、第２の検知器および／または第３の検知器の前および／または上に置かれていることを検知した場合に音響形成手段を用いて警報を発報するように適合されている。
【００２６】
本発明による解決策では、システムは少なくとも１つのセンサを備え、当該システムは、センサによってセンサ観察値を生成する測定用電子機器と、センサ観察値を処理するために適用可能なプロセッサと、メモリを備えた中央ユニットをさらに備えてもよく、中央ユニットは例えばデータ処理装置である。システムは、複数のセンサまたはセンサ群を管理可能な中央ユニットを有してもよく、１つのセンサ群とは、例えば、同一の室内のような、同一空間における複数のセンサを意味する。
【００２７】
プロセッサ、中央ユニットおよび／または測定用電子機器をセンサに一体化してもよく、または個別に、あるいは個別のユニット内に配置することができる。図１Ａから１Ｃで説明される実施形態では、プロセッサによって実行されるプログラムは、監視対象空間の上側部分および下側部分で観察される動きを解釈することができ、プログラムに定められた警報条件が満たされた場合に警報を発報することができる。
【００２８】
本発明によるシステムは、いくつかのセンサの第３の検知器によって、対象となるセンサの第１の検知器、第２の検知器および／または第３の検知器の前および／または上で物品が観察された場合に、監視対象空間で警報信号を発報することができる。
【００２９】
本発明の一実施形態では、システムは、対象となるセンサの第１の検知器、第２の検知器および／または第３の検知器の前および／または上の物品が、第３の検知器によって検知されなくなると、警報信号の発報を停止する。警報信号の継続時間は予め定められた長さとすることができる。警報信号は、例えば音響信号および／または光信号とすることができる。
【００３０】
本発明の一実施形態では、システムは、いくつかのセンサの第３の検知器によって、物品が第１の検知器、第２の検知器および／または第３の検知器の前および／または上に置かれていることが観察された場合に、通知を送信するように適合されている。
【００３１】
対象者の転倒も、本発明によるセンサで検知することができる。２つの異なる高さの範囲を測定するセンサは、例えば次の条件に従って、対象の転倒を解釈することができる。
【００３２】
１．監視対象領域で動きが検知されるならば、項目２に進む。
【００３３】
２．監視対象領域の下側部分でのみ動きが検知されるならば、項目３に進む。
【００３４】
３．所定の時間、例えば３０から１８０秒間待機する。この間に、監視対象領域の上側部分で動きが検知されないならば、項目４に進む。監視対象領域の上側部分で動きが検知されるならば、項目１に進む。
【００３５】
４．対象者が転倒していると解釈され、項目１に進む。
【００３６】
さらに、システムは、対象者が転倒していると解釈された場合に、転倒の通知を送信することができる。
【００３７】
本発明の一実施形態では、監視対象領域のセンサの一部のみが、上述したような警報信号の発報を可能にする機能を有する。例えば、リビングルームのような一部の部屋のみでセンサにこの機能を提供することができ、他の部屋のセンサは、センサの被覆または転倒事象を検知した直後に転倒通知を送信する。本発明の一実施形態では、室内のような一つの空間内にある複数のセンサの一部のみが、上述したような警報信号の発報を可能にする機能を備える。
【００３８】
このシステムでは、制御センタが存在することも可能であり、対象の存在、位置、動き、および／または姿勢に関する所定の情報を制御センタに送信することができる。システムによって使用される警報期間は、例えばＲＦＩＤリーダから受信した存在情報に基づいて変更することができる。通知または警報は、例えば外部の警報システムに、または無線でシステムの中央サーバに送信または発報することができ、サーバから警報が中継先に向けられる。
【００３９】
システムはまた、監視対象領域の時系列の依存性（ｃｈｒｏｎｏｌｏｇｉｃａｌ  ｄｅｐｅｎｄｅｎｃｙ）および対象の挙動を観察するために、システムが測定信号またはそれに由来する情報を記録するように適合された記憶手段を有することもできる。これにより、システムは、例えば監視対象者が特定の時刻にベッドから出なかったり、キッチンを訪れなかったりする場合、あるいはあまりにも頻繁にトイレに行った場合に警報を発報することができる。記憶手段はまた、より平均的な日常のリズムの学習およびその中で発生する逸脱の検知も可能にする。
【００４０】
センサによる監視対象領域は、全領域または何らかの領域の一部分のみとすることができる。監視対象領域は、例えば１つまたは複数の部屋および領域の特定部分で構成することができ、例えば食器棚のような固定された設備は、監視対象領域外とすることができる。
【００４１】
一部の用途では、不変領域の図表作成（ｃｈａｒｔｉｎｇ、記録）、すなわち、主に動かず変化のない物体および構造が所定の位置にあるときのセンサの測定情報の図表化を最初に実行することが有利である。この種の状況とは、例えば居住用アパートで、家具は適切な位置にあるが、アパート内に人、ペット、またはロボットが存在していないときとなる。この図表化された情報はシステム内に、例えば中央ユニットに配置されたメモリに、またはデータネットワークを介して接続される記憶手段に記録することができ、記憶手段は、例えば制御センタまたはサービスセンタに存在することができる。この目的のために、記憶手段が構成に含まれなければならず、記憶手段は中央ユニット内に存在するか、またはデータネットワークを介して接続されることができる。
【００４２】
本発明の一実施形態によれば、システムは、不変領域の図表作成を継続的に、または規定された間隔で実行し、その場合にシステムは、例えば新しい家具によって、または家具の配置変更によって引き起こされる領域内の変化を検出することができる。このようにして、システムは、監視対象領域で生じる変化に徐々に適合することができる。
【００４３】
システムのセンサによって、対象の動きをチェックすることができる。この機能のために、システムの中央ユニットは、必要なソフトウェアおよび検知されている信号の特徴的な属性に関する情報を含む。一般に、中央ユニットは、例えば対象の位置、速度、移動方向、状態または姿勢についてセンサを介して受信した信号から、情報を推定することができる。
【００４４】
一般に、システムの少なくとも一部のセンサは、例えばアパートの床面、壁面、ドア表面または天井面のような、対象が出入りする監視対象領域の、またはその付近へのその種の表面（ｓｕｒｆａｃｅ）に近接して、または表面上に配置される。
【００４５】
図２は、監視対象領域内の、本発明によるシステムの一実施形態の構成要素を示す。本発明で使用される１つまたは複数のセンサ２０１は、１つまたは複数のセンサ２０１によって監視対象領域を監視することができるような方法で、監視対象領域に関連して配置される。センサは、例えば転倒検知器とすることができ、どのようなアパートにも配置することができる。表面上（ｏｎ  ｔｈｅ  ｔｏｐ  ｏｆ  ｓｕｒｆａｃｅ）、例えば壁、床または天井の表面上に設置するセンサの場合、例えば両面テープまたはシール片（ｓｔｉｃｋｅｒ  ｓｔｒｉｐ）を使用して表面に固定することができ、この場合、センサは容易に取り外すことができる。センサ２０１は、無線または有線でゲートウェイ２０４に接続することができ、例えばセンサを覆っているもの、検出された対象、対象の健康状態および／または対象の姿勢について、センサ２０１から得られた測定値またはセンサ２０１によって形成された状態情報を収集する。ゲートウェイ２０４は、情報を例えば制御センタまたはその場所で地域および／または対象を監督する別の関連先に送信する。システムと受信者との間の情報の転送は、例えば電話接続、有線ブロードバンド接続または無線接続を使用して実施することができる。データ転送においては、データセキュリティおよびプライバシーに関連する問題を考慮することが有利であり、多くの公的規制にも対処する。
【００４６】
本発明の一実施形態では、１つまたは複数のセンサ２０１は、それ自体の中央ユニットを備え、センサの中央ユニットは、ゲートウェイ２０４に接続される。本発明の第２の実施形態では、１つまたは複数のセンサ２０１の中央ユニットは、ゲートウェイ２０４に組み込まれている。
【００４７】
中央ユニットまたはゲートウェイ２０４の機能の一部は、データネットワーク接続を介して他の場所、例えば中央制御室またはサービスセンタで実行されることが可能である。
【００４８】
本発明の一実施形態によれば、警報信号は、システムの照明ユニットおよび／または音響ユニットを介して発報することができる。警報信号は、監視対象空間でシステムによって発報され、所定の時間継続するものであり、センサが覆われていることを検知した場合に、および／または例えば転倒通知の送信前に、発報される。照明警報ユニットおよび／または音響警報ユニットは、敷地のそれぞれ異なる部分、例えば部屋に存在してもよい。この機能は、センサに、例えば、すべてのセンサ、または一部のセンサのみに、組み込むこともできる。
【００４９】
本発明によるシステムは呼出ボタン２０２を備えることも可能であり、ボタン押下後にシステムは、例えば看護職員、保安要員への接続を形成することができ、または様々な警報手順を実施することができる。呼出ボタンは無線であってもよく、バッテリなしで機能するように適合されることができる。
【００５０】
本発明のシステムによる通知手順および警報手順は、例えば警報指示信号（ブザー、ライト、サイレン、目覚まし時計）の起動、警報センタまたはサービスセンタ、介護者または親戚との連絡を含むことができる。場合によっては、例えば合成音声または録音音声によって、警報を監視対象者またはユーザに直接発報することもできる。これらの作業を実行するために、システム構成は、例えばクロック回路のような、時間データの処理に必要な手段を備えることができる。
【００５１】
本発明によるシステムはさらに、火災検知器２０３を備えることもでき、有線または無線接続を介して別のシステムに接続することができる。火災検知器２０３が火災を警告する場合、例えば制御センタまたは救助当局に警報メッセージを送信することによって、警報手順を実行することができる。
【００５２】
図３は、本発明に従ったシステムの一実施形態の操作内容を示しており、実施形態では監視対象領域の対象者１０６の健康状態または姿勢が監視されている。センサ２０１の第３の検知器によって、対象となるセンサの第１の検知器、第２の検知器および／または第３の検知器の前および／または上で物品が観察された場合、システムは監視対象領域内で警報信号を発報することができる。対象となるセンサの第１の検知器、第２の検知器および／または第３の検知器の前および／または上の物品が、第３の検知器によって検知されなくなると、警報信号の発報は停止されることができる。この場合、センサの測定の障害物は取り除かれている。本発明の一実施形態では、警報信号の継続時間は予め定められた長さとすることができる。警報信号は、例えば音響信号および／または光信号であってもよい。
【００５３】
本発明の一実施形態では、センサ２０１の第３の検知器によって、第１の検知器、第２の検知器および／または第３の検知器の前および／または上に物品が置かれたことが観察された場合、システムは通知を送信することができる。システムのセンサ２０１が、監視対象領域内で対象１０６が転倒したことを検知すると、システムは転倒通知を送信することができる。
【００５４】
本発明の一実施形態では、システムは、多数のセンサ、例えば監視対象領域の全てのセンサによって測定された情報を分析し、上側測定範囲のいずれのセンサも対象を一切検知しない場合にのみ、転倒通知が送信される。
【００５５】
図３に示された実施形態の状況では、システムは、例えばセンサの被覆、または対象の転倒に起因してメッセージを送信し、センサ２０１は状況に関する情報をシステムのゲートウェイ３０４に送信し、ゲートウェイ３０４は例えばインターネット接続または何らかの接続を介して情報および／または警報をサーバ３０１に送信する。サーバ３０１から、情報および／または警報は対象者の健康状態を監視する関連先に、例えば電話３０２へのメッセージとして、警報として、および／または、例えば看護師３０３、親戚または救急センタに送信される。このようにして、例えばセンサの被覆、および／または対象者の転倒に関する情報は、必要な人または組織に届き、転倒した対象者は可能な限り速やかに支援を受ける。本発明の一実施形態では、システムは、情報をゲートウェイ３０４から対象者の健康状態を監視する関連先に直接送信することができる。
【００５６】
本発明の一実施形態では、第３の検知器はカメラである。この実施形態では、カメラはセンサおよび／またはシステムに、有線接続または無線接続で接続されてもよいが、あるいは対象の存在、位置、動きおよび／または姿勢を検知するセンサから分離して配置されてもよい。
【００５７】
本発明の様々な実施形態は上述した例にのみ限定されるものではなく、従って、以下に示す特許請求の範囲内で変更可能であることは当業者には明らかである。以上の説明中に他の特徴的な特性と併せて示された可能性のある特徴的な特性は、必要に応じて互いに独立に使用することができる。
【図１Ａ】
2019520547.tif 000003
【図１Ｂ】
2019520547.tif 000004
【図１Ｃ】
2019520547.tif 000005
【図２】
2019520547.tif 000006
【図３】
2019520547.tif 000007
【国際調査報告】
2019520547.tif 000008
2019520547.tif 000009
2019520547.tif 000010